(57)【要約】【課題】海水中の栄養塩と呼ばれる硝酸、亜硝酸、アンモニア、リン酸の塩は、淡水中や海水中に存在することで、プランクトンの餌となり、赤潮などの水質汚濁の原因となる。海水中の栄養塩を測定する方法については、特に硝酸イオン、亜硝酸イオンとその他成分とに区分して紫外吸光光度計を用いて正確に計測しようとするものである。【解決手段】吸光光度法による海水中栄養塩の濃度測定において、塩素、臭素などによる影響が少ない波長として２１５〜２４０ｎｍにおける波長領域の紫外光を海水試料に透過させることにより、硝酸イオン、亜硝酸イオン、その他物質の吸収スペクトルを計測し、これを２次微分してガウス関数モデルを利用した最小２乗法の演算手段により、硝酸イオン、亜硝酸イオンの総和濃度を測定する方法及びシステムを提供する。【選択図】図５
2008145297.tif 000002
【特許請求の範囲】
【請求項１】
吸光光度法による海水中栄養塩の濃度測定において、波長として２１５〜２４０ｎｍにおける海水の紫外吸光スペクトルを計測し、式（１）：
【数１】
2008145297.tif 000015
［式中、Ａ（λ）seaは海水の吸光度を表し、ε（λ）Clは塩素イオンの吸収係数を表し、ε（λ）Brは臭素イオンの吸収係数を表し、ε（λ）NOxは硝酸および亜硝酸イオンの吸収係数の平均値を表し、ＣClは塩素イオン濃度を表し、ＣBrは臭素イオン濃度を表し、ＣNOxは硝酸イオン濃度＋亜硝酸イオン濃度を表し、λは波長を表し、σはガウス分布の半値巾を表し、Ｃは未知物質の濃度に関するパラメ−タを表し、λ0は未知物質の吸光スペクトルのピーク波長を表す］
に示すガウス関数モデルを用いた海水の紫外吸光スペクトルモデルを利用した最小２乗法の演算手段により、硝酸イオン及び亜硝酸イオンの濃度の総和を測定することを特徴とする海水中の硝酸イオン及び亜硝酸イオンの濃度測定方法。
【請求項２】
請求項１において、次の式（２）：
【数２】
2008145297.tif 000016
［式中、Ｃ、σ、λ、λ0、は式（１）で定義したとおりであり、以下のｆ（λ）は式（１）における右辺第４項のガウス関数を示し、式（３）：
【数３】
2008145297.tif 000017
［式中、λは波長を表し、σはガウス分布の半値巾を表し、λ0は未知物質の吸光スペクトルのピーク波長を表す］
で示される］
により初期値を与えることで安定的に演算する機能を有せしめることを特徴とする、請求項１に記載の海水中の硝酸イオン及び亜硝酸イオンの濃度測定方法。
【請求項３】
請求項１において、海水の吸収スペクトル全域に亘り、２次微分して、吸光度ピークのものから波長を判定し、硝酸イオン、亜硝酸イオンを特定することを特徴とする請求項１に記載の海水中の硝酸イオン及び亜硝酸イオンの濃度測定方法。
【請求項４】
波長２１５〜２４０ｎｍに亘って、異なった波長で複数回海水の紫外吸光スペクトルを計測することを特徴とする請求項１〜３のいずれか一つに記載の海水中の硝酸イオン及び亜硝酸イオンの濃度測定方法。
【請求項５】
波長２１５〜２４０ｎｍに亘って、１ｎｍ毎に海水の紫外吸光スペクトルを計測することを特徴とする請求項４記載の海水中の硝酸イオン及び亜硝酸イオンの濃度測定方法。
【請求項６】
吸光光度法による海水中栄養塩の濃度測定において、波長２１５〜２４０ｎｍにおける波長領域の紫外光を海水試料に透過させて紫外吸光度を計測する工程と、
前記吸光度を入力して２次微分して上記の式（１）に示すガウス関数モデルを用いた海水の紫外吸光スペクトルモデルを利用して最小２乗法を演算する工程と、
前記工程から吸光度ピークを利用して硝酸イオンと亜硝酸イオンを特定し、その総和を定量する工程と、
からなるシステムを備えた海水中の硝酸イオン及び亜硝酸イオンの濃度測定システム。
【請求項７】
請求項６において、上記式（２）により初期値を与えることで安定的に演算する機能を有せしめる請求項６に記載の海水中の硝酸イオン及び亜硝酸イオンの濃度測定システム。
【請求項８】
波長２１５〜２４０ｎｍに亘って、異なった波長で複数回海水の紫外吸光スペクトルを計測する工程とすることを特徴とする請求項６または７に記載の海水中の硝酸イオン及び亜硝酸イオンの濃度測定システム。
【請求項９】
波長２１５〜２４０ｎｍに亘って、１ｎｍ毎に海水の紫外吸光スペクトルを計測することを特徴とする請求項８に記載の海水中の硝酸イオン及び亜硝酸イオンの濃度測定システム。
【請求項１０】
吸光光度法による海水中栄養塩の濃度測定において、波長２１５〜２４０ｎｍにおける海水の紫外吸光スペクトルを計測し、これを２次微分し、上記式（１）に示すガウス関数モデルを用いた海水の紫外吸光スペクトルモデルを利用した最小２乗法の演算手段と、硝酸イオン及び亜硝酸イオンの濃度の総和を測定する手段とをコンピュータに実行させる、海水中の硝酸イオン及び亜硝酸イオンの濃度測定プログラム。
【請求項１１】
請求項１０において、上記式（２）により初期値を与えることで安定的に演算する機能手段をコンピュータに実行させる、海水中の硝酸イオン及び亜硝酸イオンの濃度測定プログラム。
【請求項１２】
請求項１１に記載のプログラムをコンピュータ読取可能にした記録媒体。
【発明の詳細な説明】
【技術分野】
【０００１】
本発明は、海水中における栄養塩と呼ばれる硝酸、亜硝酸、アンモニア、リン酸などの塩、特に硝酸、亜硝酸イオンの測定方法、測定システム、測定プログラム及びその記録媒体に関するものである。
【背景技術】
【０００２】
近年、我が国においては、大気や地下水汚染、工場排水などには、水中の窒素化合物、リン化合物及びＴＯＣの分析方法は、ＪＩＳのＫ０１０２に規格化されている。
【０００３】
汚濁物質を含む水中の窒素化合物は硝酸イオン、亜硝酸イオン、アンモニウムイオン又は有機態窒素として存在している。これらの水中窒素を全て測定するＴＮ（全窒素）分析方法では、全ての窒素化合物を酸化分解して硝酸イオンに変えて、硝酸イオンによる波長２２０ｎｍ近傍での紫外線吸光度を測定する方法がある（特許文献１）。また、化学的分解槽を必要とせず、光触媒と紫外線を用いて酸化させることによって硝酸イオンにして紫外線吸光度測定による分析を利用する方法がある（特許文献２）。
【０００４】
更に、水及び水溶液中の極めて微量の硝酸イオンなどを測定する方法については、紫外分光測定装置を用いて、濃度計算式によるイオン濃度を測定する方法がある（特許文献３）。
【０００５】
また、光吸収分析において、吸収ピークが僅かな波長差で重なっている場合に吸収の確認、シャープなピークに隠れた弱い吸収ピークの確認などに用いる方法として、微分スペクトル法による定量分析が報告されている（非特許文献１）。赤外分光に用いる方法として２次微分スペクトルデータを求める演算を行うデータ処理装置が示されている（特許文献４）。
【０００６】
【特許文献１】特開２００１−５６３３２号公報
【特許文献２】特開２００１−４１９５０号公報
【特許文献３】特開２００５−２１４８６３号公報
【特許文献４】特開２００３−９８０７７号公報
【非特許文献１】島津アプリケーションニュース  No.A349A 「微分スペクトルを用いた定量分析」
【発明の開示】
【発明が解決しようとする課題】
【０００７】
海水中の栄養塩とは、一般に海域では、植物プランクトンが基礎生産者として重要な役割を果たしているが、その生産量を決める制限因子となるのは、主として、溶存態である硝酸イオン、亜硝酸イオン、アンモニアイオン、及びリン酸イオンであり、場合によってはケイ酸イオンや鉄イオンが制限因子となる。
【０００８】
海水中の栄養塩と呼ばれる硝酸、亜硝酸、アンモニア、リン酸の塩は、淡水中や海水中に存在することで、プランクトンの餌となり、赤潮などの水質汚濁の原因となる。これらを測定、特に海水中の栄養塩を測定する方法については、水または水溶液測定と同じような測定方法が用いられるが、海水中における栄養塩を硝酸イオン、亜硝酸イオンとその他成分とに区分して正確に計測することは、困難であった。即ち、海水は淡水と違って、測定の妨害イオンとなる塩素イオン、臭素イオン、よう素イオンなどの存在があって、正確な測定が困難であった。本発明では、硝酸イオン及び亜硝酸イオンを栄養塩として、捉えるものである。従って、本発明では、紫外吸光光度計を用いて波長の似かよったイオンについても硝酸イオン及び亜硝酸イオンの総和濃度として正確に測定しようとするものである。
【課題を解決するための手段】
【０００９】
本発明の第１の解決手段は、吸光光度法による海水中栄養塩の濃度測定において、塩素、臭素などによる影響が少ない波長として２１５〜２４０ｎｍにおける波長領域の紫外光を海水試料に透過させることにより、硝酸イオン、亜硝酸イオン、その他物質の吸収スペクトルを計測し、これを２次微分して、式（１）に示す、ガウス関数モデルを利用した海水の紫外吸光スペクトルモデルを用いて最小２乗法の演算手段により、硝酸イオン、亜硝酸イオンの濃度を測定することを特徴とする海水中栄養塩の硝酸イオン、亜硝酸イオンの濃度測定方法を提供する。
【００１０】
【数１】
2008145297.tif 000003
［式中、Ａ（λ）seaは海水の吸光度を表し、ε（λ）Clは塩素イオンの吸収係数を表し、ε（λ）Brは臭素イオンの吸収係数を表し、ε（λ）NOxは硝酸および亜硝酸イオンの吸収係数の平均値を表し、ＣClは塩素イオン濃度を表し、ＣBrは臭素イオン濃度を表し、ＣNOxは硝酸イオン濃度＋亜硝酸イオン濃度を表し、λは波長を表し、σはガウス分布の半値巾を表し、Ｃは未知物質の濃度に関するパラメ−タを表し、λ0は未知物質の吸光スペクトルのピーク波長を表す］
【００１１】
これにより、他のイオンとは区分して正確な硝酸イオン、亜硝酸イオンが測定できる。塩素、臭素以外にフミン酸、フルボ酸も栄養塩に含まれることが考えられるが、これらの影響は波長選択により除去される。
更に、前項において、次の式（２）を用いてパラメータを演算する機能を有せしめ、海水中栄養塩の硝酸イオン、亜硝酸イオンの濃度測定方法を行う。
【００１２】
【数２】
2008145297.tif 000004
［式中、Ｃ、σ、λ、λ0、は式（１）で定義したとおりであり、以下のｆ（λ）は式（１）における右辺第４項のガウス関数を示し、式（３）：
【数３】
2008145297.tif 000005
［式中、λは波長を表し、σはガウス分布の半値巾を表し、λ0は未知物質の吸光スペクトルのピーク波長を表す］
で示され、ｆ（λ0）も同様である］
これにより、硝酸イオン、亜硝酸イオン以外の紫外吸光特性を有するイオンの吸光度を定量化でき、正確に硝酸イオンと亜硝酸イオンの濃度が演算機能から計算できる。
【００１３】
本発明の第２の解決手段は、吸光光度法による海水中栄養塩の濃度測定において、塩素、臭素などによる影響が少ない波長として２１５〜２４０ｎｍにおける波長領域の紫外光を海水試料に透過させて紫外吸光度を計測する工程、前記吸光度を入力して２次微分して上記式（１）に示すガウス関数モデルを用いた海水の紫外吸光スペクトルモデルを利用して最小２乗法を演算する工程、前記工程から吸光度ピークを利用して硝酸イオンと亜硝酸イオンを特定し、その総和を定量する工程、からなるシステムを備えた海水中栄養塩の硝酸イオンと亜硝酸イオンの総和濃度測定システムを提供する。
【００１４】
前項において、次の上記式（２）により初期値を与えることで安定的に演算する機能を有せしめ、海水中栄養塩の硝酸イオン及び亜硝酸イオンの総和濃度測定システムを提供する。
【００１５】
前記塩素、臭素などによる影響が少ない波長としての２１５〜２４０ｎｍに亘って、異なった波長で複数回海水の紫外吸光スペクトルを計測する工程として海水中栄養塩の硝酸イオン及び亜硝酸イオンの総和濃度を測定する。更に、前記塩素、臭素などによる影響が少ない波長としての２１５〜２４０ｎｍに亘って、１ｎｍ毎に海水の紫外吸光スペクトルを計測することも含める。また、これらの工程をプログラムにして且つ記録媒体としても用いることができる。
【発明の効果】
【００１６】
以上のように、本発明によれば、大掛かりな装置を必要とせず、海水中の栄養塩を的確に把握することができるので、また、船上でも採取から定量までリアルタイムに定量できるので、極めて簡便である。
【発明を実施するための最良の形態】
【００１７】
吸光光度法(分光分析)は，計測対象物質の吸光度のピーク波長で計測するのが一般的であるため，海水中の栄養塩である硝酸・亜硝酸を計測するなら２１０ｎｍ付近で計測するのが通常である。しかし、図１に各種イオンの吸光度と波長との関係を示すと、海水には２１０ｎｍ付近に吸光度を有する臭素(１)、塩素(２)が多量に含まれているため、２１０ｎｍ付近における海水の吸光度の中から硝酸・亜硝酸(３)にのみ起因する吸光度を分離することは難しい ｛Ｓ/Ｎが低い。但し、Ｓ：硝酸・亜硝酸吸光度、Ｎ：硝酸・亜硝酸以外の物質（臭素等）による吸光度として表示する｝。また、この領域には海水中の有機物質であるフミン酸やフルボ酸も吸光特性を有するが臭素、塩素に比べると極めて軽微である。
【００１８】
一方，２１５ｎｍより長波長域では塩素及び臭素、フミン酸、フルボ酸の吸光度が急激に減少しＳ/Ｎが高くなるため，本発明では２１５ｎｍ〜２４０ｎｍにおける波長領域において硝酸・亜硝酸濃度を分離・定量することで塩素、臭素、フミン酸、フルボ酸の影響を抑えた。
【００１９】
海水中に含まれる紫外吸光物質には無機物質として硫化水素イオン、チオ硫酸イオン、ヨウ素イオン、重炭酸イオン等があり、有機物質としてはアニリンやグルタミン酸、ドデシルベンゼンスルホン酸等が存在する。これらの物質は、２１５ｎｍ〜２４０ｎｍの波長域には吸光特性を有しているため、その影響を考慮する必要がある。よって本発明ではそれらの物質の個数とピーク波長を解析的に推定し、それらの吸光度をガウス関数でモデル・定量化することでその影響を除去した。
【００２０】
図２は、海水吸光度の概念図（実際にはもっと小さくなるので見やすいように示す）を示し、２００〜２４０ｎｍ波長で測定した結果の吸光度を曲線にしたもので、１は、塩素イオン、２は臭素イオン、３は亜硝酸イオン、４は硝酸イオン、５、６、７は未知物質、８は海水、のそれぞれの吸光度曲線であるが、ここに示すような明白な傾向にはなっていない。２１５ｎｍ以上では、塩素イオン、臭素イオンの影響は少なく、未知物質についても少ないが、海水の吸光度曲線を２次微分することにより、未知物質と思われるピーク吸光度の波長を知ることができる。
【００２１】
図３は、図２の海水吸光度曲線で且つ２１５ｎｍ波長以上２４０ｎｍまでの２次微分した結果、物質の特定ができなくても、未知なる物質として示し、そのピーク波長を以って、吸光度を示し、ガウス計算により、全体から引くことにより、硝酸、亜硝酸イオンの総和を求めることができる。このように、図２及び図３は２次微分するところを模型的に示した。
【００２２】
図４は、本発明の１実施例にかかる紫外分光測定のフロー図である。
（１）は、海水の採取をする工程、（２）は採取した海水をろ過膜を通過させる工程、ここで、浮遊物、塵などの固形物を取り除き、分析用に供給する試料とする。（３）は、工程（２）を経過した海水から分析装置の測定用セル容器に注水する工程、（４）は分析装置の紫外線の波長を指定して前記セル容器に透過させてその光度透過率を測定し、（５）パーソナルコンピュータに信号を入力する。コンピュータ内での演算部を備え、２次微分して初期値を与え、硝酸・亜硝酸イオンの濃度を計算する。そしてイオン濃度表示部にて図として表示する。
【００２３】
海水の紫外吸光スペクトルの演算部での作動について、以下に説明する。
海水の紫外吸光光度は塩素，臭素，硝酸，亜硝酸およびその他の未知成分による吸光度の線形足し合わせから構成されている。また、１種類の化学物質の吸光特性はガウス関数で表現できるため、未知成分の吸光度もこれらの線形足し合わせから構成されている。よって残差成分の吸光度をガウス関数による足し合わせにより表現することで、海水の紫外吸光度を下記式（１）のようにモデル化することが出来る。
【００２４】
【数４】
2008145297.tif 000006
［式中、Ａ（λ）seaは海水の吸光度を表し、ε（λ）Clは塩素イオンの吸収係数を表し、ε（λ）Brは臭素イオンの吸収係数を表し、ε（λ）NOxは硝酸および亜硝酸イオンの吸収係数の平均値を表し、ＣClは塩素イオン濃度を表し、ＣBrは臭素イオン濃度を表し、ＣNOxは硝酸イオン濃度＋亜硝酸イオン濃度を表し、λは波長を表し、σはガウス分布の半値巾を表し、Ｃは未知物質の濃度に関するパラメ−タを表し、λ0は未知物質の吸光スペクトルのピーク波長を表す］
【００２５】
海水中の硝酸・亜硝酸濃度を上式から求めるには未知成分を波形分離処理し以下の４つの波形パラメータを推定する。
（１）ピークの個数（吸光物質の種類数）；ｎ
（２）ピーク波長の位置；λ0
（３）半値幅（分散）；σ
（４）ピーク高さ（吸光物質の濃度）；Ｃ
以下にその演算方法を示す。なお、本手法はフィールドにおける計測を目的としているため、採水分析によるキャリブレーションを理論的には必要としない手法である。全体の計測フローを図５に示す。
【００２６】
図５は、コンピュータに内蔵する演算部のシステムプログラムであり、また、記録媒体としても用いることができる。
（１）工程では、分析装置で計測した各種での紫外吸光光度と波長λを入力し、（２）工程で計測値５点により波形を平滑化する。（３）工程では、臭素、塩素、硝酸、亜硝酸による吸光度を指数関数により最小２乗フィッティングして、ベースラインＢ（λ）とし、海水の吸光度から差し引く[Ａ（λ）sea―Ｂ（λ）]ことにする。（４）工程では、以下に示す計算式により２次微分を実施して未知物質のピークの個数（ｎ）、波長（λ0）を抽出する。（５）工程において、Ａ（λ0）sea、Ａ“ (λ0)を用いて、Ｃ、σの初期値を算出する。（６）最小２乗法により硝酸、亜硝酸イオン濃度を算出する。Ａ“ (λ0)とは、Ａの２次微分値、Ａ“ (d 2Ａ/dλ2)を示す。即ち、次式
｜Ａ（λ）sea―Ａmodel(λ)｜で計測する。
Ａmodel(λ)は、上記式（１）の計算値である。
【００２７】
海水中の硝酸・亜硝酸濃度を計測するにあたり、２１５〜２４０ｎｍに亘って吸光特性を持つ複数の物質の吸光度を推定・分離する必要がある。この実験では、波長を１ｎｍ毎に変えて紫外吸光度を計測し、各物質の吸光特性はガウス関数により表現でき、未知成分の吸光度はその線形足し合わせから成り立っているため、海水の吸光スペクトルを２次微分することでピークの個数およびピークの位置を推定する。すなわち、２次微分値が負の極小値（＜・ ０.００１ ）となり、１次微分値が０となる個数がピークの個数であり、その波長がピーク波長となる。臭素、塩素、硝酸・亜硝酸の吸光度および計測機器特性（べースライン成分）を以下の式（４）で示すような指数関数で表現することで海水における未知物質のピーク波長、個数を推定した結果を図６に示す。硝酸イオン、亜硝酸イオンの総和濃度を計測することでよいので、硝酸イオン、亜硝酸イオン以外の未知のものについては特定しなくても、未知のままでも計算処理できる。
【００２８】
【数５】
2008145297.tif 000007
［式中、Ａ（λ）sea、λ、σ、Ｃ、λ0は式（１）で定義したとおりである］
【００２９】
なお，ノイズ成分の影響を除くため、観測波形に対して計測値５点による平滑化を行った。この海水には４種の代表的な未知物質が含まれており、図６は以下の計測例からの一例を示したもので、ピーク波長を有していることが解かる。
ここでの計測例では、波長を１ｎｍ毎に変えて紫外吸光度を計測したが、波長の幅間隔を広げて複数回計測してもよい。
初期値設定については、ガウス関数および２次微分の一般式は式（５）のように示され、ピーク波長λ0におけるf（λ0）は式（６）のようになる。よって濃度Ｃおよび半値幅σは、単一物質による吸光特性から式９によって解析的に求めることができる。
【００３０】
【数６】
2008145297.tif 000008
［式中、Ｃ、σ、λおよびλ0は式（１）で定義したとおりであり、ｆ（λ）は式（２）で定義したとおりである］
【００３１】
【数７】
2008145297.tif 000009
［式中、Ｃおよびλ0は式（１）で定義したとおりである］
【００３２】
【数８】
2008145297.tif 000010
［式中、Ｃ、σおよびλ0は式（１）で定義したとおりであり、ｆ（λ0）は前記式（２）で定義したとおりである］
【００３３】
しかし実際の未知物質は吸光度が複数重なり合っているため解析的に求めることは難しい。したがって、上記式（１）、（２）から求められた濃度Ｃおよび半値幅σを初期値として、最小２乗法により各物質濃度および未知物質のパラメ−タを求める。
【００３４】
【数９】
2008145297.tif 000011
［式中、Ａ（λ）seaは海水の吸光度を表し、ε（λ）Clは塩素イオンの吸収係数を表し、ε（λ）Brは臭素イオンの吸収係数を表し、ε（λ）NOxは硝酸および亜硝酸イオンの吸収係数の平均値を表し、ＣClは塩素イオン濃度を表し、ＣBrは臭素イオン濃度を表し、ＣNOxは硝酸イオン濃度＋亜硝酸イオン濃度を表し、λは波長を表し、σはガウス分布の半値巾を表し、Ｃは未知物質の濃度に関するパラメ−タを表し、λ0は未知物質の吸光スペクトルのピーク波長を表す］
【００３５】
【数１０】
2008145297.tif 000012
［式中、Ａ（λ）sea、ＣCl、ＣBr、ＣNOx、Ｃおよびλは式（１）で定義したとおりである］
【００３６】
（測定例）
上記の計測結果として、瀬戸内海における海洋上の各地で海水を採取し、本発明方法モデルは船上で硝酸イオン、亜硝酸イオンの総和濃度を計測し、ＪＩＳモデルとの対比を示した。ＪＩＳ法Ｋ０１０２については、海水を持ち帰り、実験室において、通常の紫外吸光度法で測定した。
その結果は、計測地点、本発明計測方法の値とＪＩＳ計測値との対比及び偏差として表１に示す。
【００３７】
【表１】
2008145297.tif 000013
【００３８】
海水の吸光特性モデルと計測値を最小２乗法により最適化することで、１２ 検体の海水に含まれる硝酸・亜硝酸物質濃度を定量し、通常のＪＩＳによる紫外吸光光度の分析結果と比較した。この結果を図７に示す。
（１）はＪＩＳによる海水の分析結果を示し、（２）は本発明による結果を示し、その結果は同じ傾向と略同じ数値を示していることがわかる。
表２は、各種パラメ−タの計測値及び計算値を示すものである。
【００３９】
【表２】
2008145297.tif 000014
表中、Ｃは未知物質の濃度に関するパラメーターを表し、λ0は未知物質の吸光スペクトルのピーク波長を表し、σはガウス分布の半値巾を表す
【産業上の利用可能性】
【００４０】
本発明は、上に述べるように、大掛かりな装置を必要とせず、海水中の栄養塩を的確に把握することができるので、また、船上でも採取から定量までリアルタイムに定量できるので、極めて簡便である。
【図面の簡単な説明】
【００４１】
【図１】本発明に使用するための、波長各種イオンの吸光度と波長との関係を示す。
【図２】海水吸光度の概念図を示す。
【図３】海水吸光度曲線で且つ２１５ｎｍ波長以上２４０ｎｍまでの２次微分した結果を示す。
【図４】本発明における測定のフロー図である。
【図５】本発明における演算方式のフロー図である。
【図６】２次微分した後の未知物質のピーク波長を示す。
【図７】本発明とＪＩＳによる方法との比較図である。
【符号の説明】
【００４２】
１    臭素
２    塩素
３    硝酸・亜硝酸
【図１】
2008145297.tif 000018
【図２】
2008145297.tif 000019
【図３】
2008145297.tif 000020
【図４】
2008145297.tif 000021
【図５】
2008145297.tif 000022
【図６】
2008145297.tif 000023
【図７】
2008145297.tif 000024